(57)【特許請求の範囲】
【請求項１】
利用者が操作する通信端末と、前記利用者が商品やサービスを購入または利用した際、該購入または利用した商品やサービスに応じて該利用者に付与される、商品やサービスの購入に利用できるポイントのポイント数を、該利用者を識別するための利用者識別情報と対応付けて記憶するデータベースを具備するサーバとを有する通信システムにおいて、
前記サーバは、前記利用者識別情報と対応付けて記憶するポイントを、該利用者のみが利用できる自分用ポイントと、該利用者以外の他の利用者のみが利用できる他人用ポイントとに分けて、前記データベースに記憶し、
前記通信端末は、前記データベースに第１の利用者識別情報と対応付けて記憶されている前記他人用ポイントのポイント数のうち少なくとも一部を、所定の指示に基づいて、第２の利用者識別情報と対応付けられた前記自分用ポイントへ移動させるように前記サーバへ要求し、
前記サーバは、前記通信端末から前記移動の要求を受けた場合、該移動を要求されたポイント数を、前記第１の利用者識別情報と対応付けられている前記他人用ポイントから前記第２の利用者識別情報と対応付けられている前記自分用ポイントへ移動して前記データベースに記憶することを特徴とする通信システム。
【請求項２】
請求項１に記載の通信システムにおいて、
前記通信端末は、前記要求を行う際、前記第１の利用者識別情報と、前記第２の利用者識別情報と、前記移動するポイント数とを前記サーバへ送信し、
前記サーバは、前記通信端末から送信されてきた第１の利用者識別情報と対応付けられている前記他人用ポイントのポイント数から、前記送信されてきたポイント数を差し引いたポイント数を前記第１の利用者識別情報と対応付けられている前記他人用ポイントとして前記データベースに記憶し、前記通信端末から送信されてきた第２の利用者識別情報を前記データベースから検索し、該第２の利用者識別情報が前記データベースから検索できた場合、該検索できた第２の利用者識別情報と対応付けられている前記自分用ポイントのポイント数に、前記通信端末から送信されてきたポイント数を加算したポイント数を前記第２の利用者識別情報と対応付けられている前記自分用ポイントとして前記データベースに記憶し、該第２の利用者識別情報が前記データベースから検索できなかった場合は、該第２の利用者識別情報と前記通信端末から送信されてきたポイント数とを前記自分用ポイントとして対応付けて前記データベースに記憶することを特徴とする通信システム。
【請求項３】
請求項１または請求項２に記載の通信システムにおいて、
前記通信端末は、前記データベースに前記第１の利用者識別情報と対応付けて記憶されている前記他人用ポイントのポイント数のうち少なくとも一部を、あらかじめ設定された指示に基づいて、前記第２の利用者識別情報と対応付けられた前記自分用ポイントへ移動させるように要求することを特徴とする通信システム。
【請求項４】
請求項１または請求項２に記載の通信システムにおいて、
前記通信端末は、前記データベースに前記第１の利用者識別情報と対応付けて記憶されている前記他人用ポイントのポイント数のうち少なくとも一部を、当該通信端末に入力された指示に基づいて、前記第２の利用者識別情報と対応付けられた前記自分用ポイントへ移動させるように要求することを特徴とする通信システム。
【請求項５】
請求項１または請求項２に記載の通信システムにおいて、
前記通信端末は、前記データベースに前記第１の利用者識別情報と対応付けて記憶されている前記他人用ポイントのポイント数のうち少なくとも一部を、前記第２の利用者識別情報が付与された利用者からの指示に基づいて、前記第２の利用者識別情報と対応付けられた前記自分用ポイントへ移動させるように要求することを特徴とする通信システム。
【請求項６】
利用者が商品やサービスを購入または利用した際、該購入または利用した商品やサービスに応じて該利用者に付与される、商品やサービスの購入に利用できるポイントのポイント数を、該利用者を識別するための利用者識別情報と対応付けて記憶するデータベースと、
前記ポイントを前記データベースに記憶させる際、前記利用者識別情報と対応付けて記憶するポイントを、該利用者のみが利用できる自分用ポイントと、該利用者以外の他の利用者のみが利用できる他人用ポイントとに分けて、前記データベースに記憶させるポイント操作部とを有し、
前記ポイント操作部は、前記利用者が操作する通信端末から、前記データベースに第１の利用者識別情報と対応付けて記憶されている前記他人用ポイントのポイント数のうち少なくとも一部を、第２の利用者識別情報と対応付けられた前記自分用ポイントへ移動させるように要求された場合、該移動を要求されたポイント数を、前記第１の利用者識別情報と対応付けられている前記他人用ポイントから前記第２の利用者識別情報と対応付けられている前記自分用ポイントへ移動して前記データベースに記憶させるサーバ。
【請求項７】
請求項６に記載のサーバにおいて、
前記ポイント操作部は、前記通信端末から、前記第１の利用者識別情報と、前記第２の利用者識別情報と、前記移動するポイント数とが送信されてきた場合、前記データベースにて前記送信されてきた第１の利用者識別情報と対応付けられている前記他人用ポイントのポイント数から、前記送信されてきたポイント数を差し引いたポイント数を前記第１の利用者識別情報と対応付けられている前記他人用ポイントとして前記データベースに記憶させ、前記送信されてきた第２の利用者識別情報を前記データベースから検索し、該第２の利用者識別情報が前記データベースから検索できた場合、該検索できた第２の利用者識別情報と対応付けられている前記自分用ポイントのポイント数に、前記通信端末から送信されてきたポイント数を加算したポイント数を前記第２の利用者識別情報と対応付けられている前記自分用ポイントとして前記データベースに記憶させ、該第２の利用者識別情報が前記データベースから検索できなかった場合は、該第２の利用者識別情報と前記通信端末から送信されてきたポイント数とを前記自分用ポイントとして対応付けて前記データベースに記憶させることを特徴とするサーバ。
【請求項８】
利用者が操作する通信端末と、前記利用者が商品やサービスを購入または利用した際、該購入または利用した商品やサービスに応じて該利用者に付与される、商品やサービスの購入に利用できるポイントのポイント数を、該利用者を識別するための利用者識別情報と対応付けて記憶するデータベースを具備するサーバとを有する通信システムにおけるポイント付与方法であって、
前記サーバが、前記利用者識別情報と対応付けて記憶するポイントを、該利用者のみが利用できる自分用ポイントと、該利用者以外の他の利用者のみが利用できる他人用ポイントとに分けて、前記データベースに記憶する処理と、
前記通信端末が、前記データベースに第１の利用者識別情報と対応付けて記憶されている前記他人用ポイントのポイント数のうち少なくとも一部を、所定の指示に基づいて、第２の利用者識別情報と対応付けられた前記自分用ポイントへ移動させるように前記サーバへ要求する処理と、
前記サーバが、前記通信端末から前記移動の要求を受けた場合、該移動を要求されたポイント数を、前記第１の利用者識別情報と対応付けられている前記他人用ポイントから前記第２の利用者識別情報と対応付けられている前記自分用ポイントへ移動して前記データベースに記憶する処理とを行うポイント付与方法。
【請求項９】
請求項８に記載のポイント付与方法において、
前記通信端末が、前記要求を行う際、前記第１の利用者識別情報と、前記第２の利用者識別情報と、前記移動するポイント数とを前記サーバへ送信する処理と、
前記サーバが、前記通信端末から送信されてきた第１の利用者識別情報と対応付けられている前記他人用ポイントのポイント数から、前記送信されてきたポイント数を差し引いたポイント数を前記第１の利用者識別情報と対応付けられている前記他人用ポイントとして前記データベースに記憶する処理と、
前記サーバが、前記通信端末から送信されてきた第２の利用者識別情報を前記データベースから検索する処理と、
前記サーバが、前記第２の利用者識別情報が前記データベースから検索できた場合、該検索できた第２の利用者識別情報と対応付けられている前記自分用ポイントのポイント数に、前記通信端末から送信されてきたポイント数を加算したポイント数を前記第２の利用者識別情報と対応付けられている前記自分用ポイントとして前記データベースに記憶する処理と、
前記サーバが、前記第２の利用者識別情報が前記データベースから検索できなかった場合は、該第２の利用者識別情報と前記通信端末から送信されてきたポイント数とを前記自分用ポイントとして対応付けて前記データベースに記憶する処理とを行うことを特徴とするポイント付与方法。
【請求項１０】
請求項８または請求項９に記載のポイント付与方法において、
前記通信端末が、前記データベースに前記第１の利用者識別情報と対応付けて記憶されている前記他人用ポイントのポイント数のうち少なくとも一部を、あらかじめ設定された指示に基づいて、前記第２の利用者識別情報と対応付けられた前記自分用ポイントへ移動させるように要求する処理を行うことを特徴とするポイント付与方法。
【請求項１１】
請求項８または請求項９に記載のポイント付与方法において、
前記通信端末が、前記データベースに前記第１の利用者識別情報と対応付けて記憶されている前記他人用ポイントのポイント数のうち少なくとも一部を、当該通信端末に入力された指示に基づいて、前記第２の利用者識別情報と対応付けられた前記自分用ポイントへ移動させるように要求する処理を行うことを特徴とするポイント付与方法。
【請求項１２】
請求項８または請求項９に記載のポイント付与方法において、
前記通信端末が、前記データベースに前記第１の利用者識別情報と対応付けて記憶されている前記他人用ポイントのポイント数のうち少なくとも一部を、前記第２の利用者識別情報が付与された利用者からの指示に基づいて、前記第２の利用者識別情報と対応付けられた前記自分用ポイントへ移動させるように要求する処理を行うことを特徴とするポイント付与方法。
【請求項１３】
利用者が商品やサービスを購入または利用した際、該購入または利用した商品やサービスに応じて該利用者に付与される、商品やサービスの購入に利用できるポイントのポイント数を、該利用者を識別するための利用者識別情報と対応付けて記憶するデータベースを具備するサーバに、
前記ポイントを前記データベースに記憶する際、前記利用者識別情報と対応付けて記憶するポイントを、該利用者のみが利用できる自分用ポイントと、該利用者以外の他の利用者のみが利用できる他人用ポイントとに分けて、前記データベースに記憶する手順と、
前記利用者が操作する通信端末から、前記データベースに第１の利用者識別情報と対応付けて記憶されている前記他人用ポイントのポイント数のうち少なくとも一部を、第２の利用者識別情報と対応付けられた前記自分用ポイントへ移動させるように要求された場合、該移動を要求されたポイント数を、前記第１の利用者識別情報と対応付けられている前記他人用ポイントから前記第２の利用者識別情報と対応付けられている前記自分用ポイントへ移動して前記データベースに記憶する手順とを実行させるためのプログラム。
【請求項１４】
請求項１３に記載のプログラムにおいて、
前記通信端末から、前記第１の利用者識別情報と、前記第２の利用者識別情報と、前記移動するポイント数とが送信されてきた場合、前記データベースにて前記送信されてきた第１の利用者識別情報と対応付けられている前記他人用ポイントのポイント数から、前記送信されてきたポイント数を差し引いたポイント数を前記第１の利用者識別情報と対応付けられている前記他人用ポイントとして前記データベースに記憶する手順と、
前記送信されてきた第２の利用者識別情報を前記データベースから検索する手順と、
前記第２の利用者識別情報が前記データベースから検索できた場合、該検索できた第２の利用者識別情報と対応付けられている前記自分用ポイントのポイント数に、前記通信端末から送信されてきたポイント数を加算したポイント数を前記第２の利用者識別情報と対応付けられている前記自分用ポイントとして前記データベースに記憶する手順と、
前記第２の利用者識別情報が前記データベースから検索できなかった場合は、該第２の利用者識別情報と前記通信端末から送信されてきたポイント数とを前記自分用ポイントとして対応付けて前記データベースに記憶する手順とを実行させるためのプログラム。
【請求項１５】
利用者が操作する通信端末と、前記利用者が商品やサービスを購入または利用した際、該購入または利用した商品やサービスに応じて該利用者に付与される、商品やサービスの購入に利用できるポイントのポイント数を、該利用者を識別するための利用者識別情報と対応付けて記憶するデータベースを具備するサーバとを有する通信システムにおいて、
前記サーバは、前記利用者識別情報と対応付けて記憶するポイントを、該利用者のみが利用できる自分用ポイントと、該利用者以外の他の利用者の自分用ポイントへ移動することで該他の利用者が利用できる他人用ポイントとに分けて、前記データベースに記憶することを特徴とする通信システム。
【請求項１６】
利用者が商品やサービスを購入または利用した際、該購入または利用した商品やサービスに応じて該利用者に付与される、商品やサービスの購入に利用できるポイントのポイント数を、該利用者を識別するための利用者識別情報と対応付けて記憶するデータベースと、
前記ポイントを前記データベースに記憶させる際、前記利用者識別情報と対応付けて記憶するポイントを、該利用者のみが利用できる自分用ポイントと、該利用者以外の他の利用者の自分用ポイントへ移動することで該他の利用者が利用できる他人用ポイントとに分けて、前記データベースに記憶させるポイント操作部とを有するサーバ。
【請求項１７】
利用者が操作する通信端末と、前記利用者が商品やサービスを購入または利用した際、該購入または利用した商品やサービスに応じて該利用者に付与される、商品やサービスの購入に利用できるポイントのポイント数を、該利用者を識別するための利用者識別情報と対応付けて記憶するデータベースを具備するサーバとを有する通信システムにおけるポイント付与方法であって、
前記サーバが、前記利用者識別情報と対応付けて記憶するポイントを、該利用者のみが利用できる自分用ポイントと、該利用者以外の他の利用者の自分用ポイントへ移動することで該他の利用者が利用できる他人用ポイントとに分けて、前記データベースに記憶する処理を行うポイント付与方法。
【請求項１８】
利用者が商品やサービスを購入または利用した際、該購入または利用した商品やサービスに応じて該利用者に付与される、商品やサービスの購入に利用できるポイントのポイント数を、該利用者を識別するための利用者識別情報と対応付けて記憶するデータベースを具備するサーバに、
前記ポイントを前記データベースに記憶する際、前記利用者識別情報と対応付けて記憶するポイントを、該利用者のみが利用できる自分用ポイントと、該利用者以外の他の利用者の自分用ポイントへ移動することで該他の利用者が利用できる他人用ポイントとに分けて、前記データベースに記憶する手順を実行させるためのプログラム。
【発明の詳細な説明】
【技術分野】
【０００１】
本発明は、サービスポイントを付与する通信システム、サーバ、ポイント付与方法およびプログラムに関する。
【背景技術】
【０００２】
近年、小売り店舗や銀行などの企業で商品やサービスを購入した利用者に対して、当該企業で商品やサービスと交換することができるポイントを発行するポイントシステムが、市場にて一般的に定着している。このポイントシステムは、企業の顧客囲い込みや販売促進を主な目的としている。
【０００３】
このようなポイントシステムにおいては、商品やサービスの購入者本人に対してポイントが発行される。
【０００４】
また、他の者に宿泊施設への宿泊を勧誘して、当該他の者が宿泊した場合、勧誘した者に対してポイントが加算（付与）されるシステムが考えられている（例えば、特許文献１参照。）。
【先行技術文献】
【特許文献】
【０００５】
【特許文献１】特開２０１１−０５３８４７号公報
【発明の概要】
【発明が解決しようとする課題】
【０００６】
上述したシステムにおいては、利用者本人にポイントが加算されるため、当該本人にメリットがある。
【０００７】
しかしながら、利用者本人のみにメリットがあるだけでは、利用者に対する囲い込みやリピート促進を行うことはできるが、その他の利用者の囲い込みや販売促進を行うことが困難であるという問題点がある。
【０００８】
本発明の目的は、上述した課題を解決する通信システム、サーバ、サービスポイント付与方法およびプログラムを提供することである。
【課題を解決するための手段】
【０００９】
本発明の通信システムは、
利用者が操作する通信端末と、前記利用者が商品やサービスを購入または利用した際、該購入または利用した商品やサービスに応じて該利用者に付与される、商品やサービスの購入に利用できるポイントのポイント数を、該利用者を識別するための利用者識別情報と対応付けて記憶するデータベースを具備するサーバとを有する通信システムであって、
前記サーバは、前記利用者識別情報と対応付けて記憶するポイントを、該利用者のみが利用できる自分用ポイントと、該利用者以外の他の利用者のみが利用できる他人用ポイントとに分けて、前記データベースに記憶することを特徴とする。
【００１０】
また、本発明のサーバは、
利用者が商品やサービスを購入または利用した際、該購入または利用した商品やサービスに応じて該利用者に付与される、商品やサービスの購入に利用できるポイントのポイント数を、該利用者を識別するための利用者識別情報と対応付けて記憶するデータベースと、
前記ポイントを前記データベースに記憶させる際、前記利用者識別情報と対応付けて記憶するポイントを、該利用者のみが利用できる自分用ポイントと、該利用者以外の他の利用者のみが利用できる他人用ポイントとに分けて、前記データベースに記憶させるポイント操作部とを有する。
【００１１】
また、本発明のサービスポイント付与方法は、
利用者が操作する通信端末と、前記利用者が商品やサービスを購入または利用した際、該購入または利用した商品やサービスに応じて該利用者に付与される、商品やサービスの購入に利用できるポイントのポイント数を、該利用者を識別するための利用者識別情報と対応付けて記憶するデータベースを具備するサーバとを有する通信システムにおけるポイント付与方法であって、
前記サーバが、前記利用者識別情報と対応付けて記憶するポイントを、該利用者のみが利用できる自分用ポイントと、該利用者以外の他の利用者のみが利用できる他人用ポイントとに分けて、前記データベースに記憶する処理を行う。
【００１２】
また、本発明のプログラムは、
利用者が商品やサービスを購入または利用した際、該購入または利用した商品やサービスに応じて該利用者に付与される、商品やサービスの購入に利用できるポイントのポイント数を、該利用者を識別するための利用者識別情報と対応付けて記憶するデータベースを具備するサーバに実行させるためのプログラムであって、
前記ポイントを前記データベースに記憶する際、前記利用者識別情報と対応付けて記憶するポイントを、該利用者のみが利用できる自分用ポイントと、該利用者以外の他の利用者のみが利用できる他人用ポイントとに分けて、前記データベースに記憶する手順を実行させる。
【発明の効果】
【００１３】
以上説明したように、本発明においては、より多くの利用者の利用を促すことができる。
【図面の簡単な説明】
【００１４】
【図１】本発明の通信システムの実施の一形態を示す図である。
【図２】図１に示したサーバの内部構成の一例を示す図である。
【図３】図２に示したデータベースに記憶された利用者識別情報とポイント数との対応付けの一例を示す図である。
【図４】図１に示した通信端末から、第１の利用者識別情報として「Ａ０００１」が送信され、第２の利用者識別情報として「Ｂ０００１」が送信され、移動するポイント数として「３０」ポイントが送信されてきた場合、ポイント操作部によって更新されたデータベースに記憶されている対応付けの一例を示す図である。
【図５】図１に示した通信端末の内部構成の一例を示す図である。
【図６】図１に示した通信システムにおけるポイント付与方法のうち、ポイントが発生する際の処理を説明するためのシーケンス図である。
【図７】図１に示した通信システムにおけるポイント付与方法のうち、付与されたポイントを移動させる処理を説明するためのシーケンス図である。
【図８】ステップＳ１５にて表示部に表示された入力画面の一例を示す図である。
【図９】図５に示した表示部に表示された完了画面の一例を示す図である。
【図１０】図２に示したデータベースに記憶されている友達関係を示す対応付けの一例を示す図である。
【図１１】図２に示したデータベースに登録されている友達関係を更新するために通信端末の表示部に表示される利用者更新画面の一例を示す図である。
【発明を実施するための形態】
【００１５】
以下に、本発明の実施の形態について図面を参照して説明する。
【００１６】
図１は、本発明の通信システムの実施の一形態を示す図である。
【００１７】
本形態における通信システムは図１に示すように、サーバ１００と、通信端末２００と、レジ３００と、携帯端末４００と、ＩＣカード５００と、ポイントカード６００と、通信ネットワークであるネットワーク７００とから構成されている。
【００１８】
サーバ１００は、ネットワーク７００を介して、通信端末２００およびレジ３００と通信が可能な通信装置である。
【００１９】
図２は、図１に示したサーバ１００の内部構成の一例を示す図である。
【００２０】
図１に示したサーバ１００には図２に示すように、通信部１１０と、認証部１２０と、ポイント操作部１３０と、データベース１４０とが設けられている。なお、図２には、図１に示したサーバ１００が具備する構成要素のうち、本発明に関わる構成要素のみを示した。
【００２１】
通信部１１０は、ネットワーク７００を介して、通信端末２００およびレジ３００との間で通信を行う。
【００２２】
認証部１２０は、通信端末２００やレジ３００から送信されてきた利用者識別情報とデータベース１４０に記憶されている利用者の情報とに基づいて、利用者の認証を行う。この認証の方法については、一般的なものであっても良く、ここでは特に規定しない。
【００２３】
データベース１４０は、利用者が商品やサービスを購入または利用した際、購入または利用した商品やサービスに応じて利用者に付与される、商品やサービスの購入に利用できるポイントのポイント数を、利用者を識別するための利用者識別情報と対応付けて記憶する。このとき、データベース１４０は、利用者識別情報と対応付けて記憶するポイントを、その利用者のみが利用できる自分用ポイントと、その利用者以外の他の利用者のみが利用できる他人用ポイントとに分けて記憶する。
【００２４】
図３は、図２に示したデータベース１４０に記憶された利用者識別情報とポイント数との対応付けの一例を示す図である。
【００２５】
図２に示したデータベース１４０には図３に示すように、利用者識別情報とポイント数とが対応付けられて記憶されている。
【００２６】
利用者識別情報は、利用者を識別可能に当該利用者固有に付与された識別情報である。例えば、利用者識別情報は、利用者が本システムに入る時のログインＩＤであっても良いし、識別情報に基づいて変換された氏名やニックネームであっても良い。
【００２７】
ポイント数は、利用者が商品やサービスを購入または利用した際、購入または利用した商品やサービスに応じて利用者に付与されたものであり、商品や前記サービスの購入に利用できるものである。
【００２８】
また、図３に示すようにポイント数は、「自分用」と「友達用」とに分類されている。「自分用」とは、その利用者自身が利用することができる自分用ポイントである。また、「友達用」とは、その利用者自身は利用できず、利用者の友達である他の利用者のみが利用することができる他人用ポイントである。
【００２９】
例えば、図３に示すように、利用者識別情報「Ａ０００１」と、自分用のポイント数「２００」と、友達用のポイント数「１００」とが対応付けられて記憶されている。これは、利用者識別情報が「Ａ０００１」である利用者が取得したポイントのポイント数が３００（＝２００＋１００）ポイントであり、そのうち、「Ａ０００１」である利用者が利用できるポイントのポイント数が２００ポイントであり、「Ａ０００１」である利用者の友達が利用することができるポイントのポイント数が１００ポイントであることを示している。また、利用者識別情報「Ｂ０００１」と、自分用のポイント数「５０」と、友達用のポイント数「０」とが対応付けられて記憶されている。これは、利用者識別情報が「Ｂ０００１」である利用者が取得したポイントのポイント数が５０ポイントであり、そのうち、「Ｂ０００１」である利用者が利用できるポイントのポイント数が５０ポイントであり、「Ａ０００１」である利用者の友達が利用することができるポイントのポイント数がないことを示している。また、利用者識別情報「Ｃ０００５」と、自分用のポイント数「１２０」と、友達用のポイント数「８０」とが対応付けられて記憶されている。これは、利用者識別情報が「Ｃ０００５」である利用者が取得したポイントのポイント数が２００（＝１２０＋８０）ポイントであり、そのうち、「Ｃ０００５」である利用者が利用できるポイントのポイント数が１２０ポイントであり、「Ｃ０００５」である利用者の友達が利用することができるポイントのポイント数が８０ポイントであることを示している。
【００３０】
また、データベース１４０は、利用者を認証するために必要な情報（例えば、利用者識別情報やパスワード等）を記憶する。
【００３１】
ポイント操作部１３０は、データベース１４０に記憶されている対応付けを更新する。
【００３２】
また、ポイント操作部１３０は、利用者の商品やサービスの購入に応じてポイントをデータベース１４０に記憶させる際、利用者識別情報と対応付けて記憶するポイントを、自分用ポイントと他人用ポイントとに分けて、データベース１４０に記憶させる。このとき、ポイント操作部１３０は、所定の割合やポイント数に基づいて、自分用ポイントと他人用ポイントとに分ける。
【００３３】
また、ポイント操作部１３０は、通信端末２００から、データベース１４０に第１の利用者識別情報と対応付けて記憶されている他人用ポイントのポイント数のうち少なくとも一部を、第２の利用者識別情報と対応付けられた自分用ポイントへ移動させるように要求された場合、移動を要求されたポイント数を、第１の利用者識別情報と対応付けられている他人用ポイントから第２の利用者識別情報と対応付けられている自分用ポイントへ移動してデータベース１４０に記憶させる。このとき、ポイント操作部１３０は、通信端末２００から、第１の利用者識別情報と第２の利用者識別情報と移動するポイント数とが送信されてきた場合、データベース１４０にて第１の利用者識別情報と対応付けられている他人用ポイントのポイント数から、送信されてきたポイント数を差し引いたポイント数を第１の利用者識別情報と対応付けられている他人用ポイントとしてデータベース１４０に記憶させる。また、ポイント操作部１３０は、送信されてきた第２の利用者識別情報をデータベース１４０から検索し、第２の利用者識別情報がデータベース１４０から検索できた場合、検索できた第２の利用者識別情報と対応付けられている自分用ポイントのポイント数に、送信されてきたポイント数を加算したポイント数をデータベース１４０に記憶させる。また、ポイント操作部１３０は、送信されてきた第２の利用者識別情報がデータベース１４０から検索できなかった場合は、その第２の利用者識別情報と送信されてきたポイント数とを自分用ポイントとして対応付けてデータベース１４０に記憶させる。
【００３４】
具体的な例を挙げてさらに詳しく説明する。
【００３５】
例えば、図３に示した対応付けがデータベース１４０に記憶されているとする。このとき、通信端末２００から、第１の利用者識別情報として「Ａ０００１」が送信され、第２の利用者識別情報として「Ｂ０００１」が送信され、移動するポイント数として「３０」ポイントが送信されてきた場合、ポイント操作部１３０は、データベース１４０から「Ａ０００１」を検索し、「Ａ０００１」と対応付けられている他人用（友達用）ポイントのポイント数から「３０」ポイントを差し引く。現在、「Ａ０００１」と対応付けられている他人用（友達用）ポイントのポイント数が「１００」ポイントであるため、（１００−３０）が計算され、その結果の「７０」ポイントが、「Ａ０００１」と対応付けられている他人用（友達用）ポイントのポイント数として記憶される。また、ポイント操作部１３０は、データベース１４０から「Ｂ０００１」を検索し、「Ｂ０００１」と対応付けられている自分用ポイントのポイント数に「３０」ポイントを加算する。現在、「Ｂ０００１」と対応付けられている自分用ポイントのポイント数が「５０」ポイントであるため、（５０＋３０）が計算され、その結果の「８０」ポイントが、「Ｂ０００１」と対応付けられている自分用ポイントのポイント数として記憶される。
【００３６】
図４は、図１に示した通信端末２００から、第１の利用者識別情報として「Ａ０００１」が送信され、第２の利用者識別情報として「Ｂ０００１」が送信され、移動するポイント数として「３０」ポイントが送信されてきた場合、ポイント操作部１３０によって更新されたデータベース１４０に記憶されている対応付けの一例を示す図である。
【００３７】
図３と図４とを比較すると、利用者識別情報「Ａ０００１」の友達用ポイント数が「１００」から「７０」（太字で示す）へ更新されている。また、利用者識別情報「Ｂ０００１」の自分用ポイント数が「５０」から「８０」（太字で示す）へ更新されている。
【００３８】
通信端末２００は、利用者が操作する通信装置である。
【００３９】
図５は、図１に示した通信端末２００の内部構成の一例を示す図である。
【００４０】
図１に示した通信端末２００には図５に示すように、通信部２１０と、表示部２２０と、入力部２３０と、記憶部２４０と、制御部２５０とが設けられている。
【００４１】
通信部２１０は、ネットワーク７００を介して、サーバ１００との間で通信を行う。
【００４２】
表示部２２０は、情報を表示するディスプレイである。
【００４３】
入力部２３０は、外部から情報を入力するための、キーボードやマウス、タッチパネル等である。
【００４４】
記憶部２４０は、所定の情報を記憶する。例えば、記憶部２４０は、利用者識別情報を記憶する。
【００４５】
制御部２５０は、これらの構成要素を始め、通信端末２００全体を制御する。
【００４６】
また、制御部２５０は、サーバ１００のデータベース１４０にて第１の利用者識別情報と対応付けて記憶されている他人用ポイントのポイント数のうち少なくとも一部を、所定の指示に応じて、第２の利用者識別情報と対応付けられた自分用ポイントへ移動させるように通信部２１０を介してサーバ１００へ要求する。このとき、制御部２５０は、第１の利用者識別情報と第２の利用者識別情報と移動するポイント数とをサーバ１００へ送信することで移動の要求を行う。ここで、「所定の指示」とは、あらかじめ設定された指示であっても良いし、外部から入力部２３０に入力された指示であっても良いし、第２の利用者識別情報が付与された利用者からの指示であっても良い。また、送信する第１の利用者識別情報は、記憶部２４０にあらかじめ記憶されているものであっても良いし、外部から入力部２３０に入力されたものであっても良い。また、送信する第２の利用者識別情報およびポイント数は、外部から入力部２３０に入力されたものであっても良い。
【００４７】
レジ３００は、店舗等に設置されている精算機である。また、レジ３００は、利用者が商品やサービスを購入した際、購入した商品やサービス、またはその金額に応じたポイントのポイント数をサーバ１００へ送信する。このとき、当該利用者の利用者識別情報とともに、当該ポイント数をサーバ１００へ送信する。この利用者識別情報は、利用者識別情報を記憶しているＩＣカード５００やポイントカード６００から読み出されるものであっても良いし、携帯端末４００から読み出されるものであっても良い。また、利用者識別情報は、レジ３００に設けられた非接触型通信機能を有するリーダー３１０を用いて、携帯端末４００等から読み出されるものであっても良い。リーダー３１０を用いる場合、例えば、携帯端末４００をリーダー３１０にかざすことで、リーダー３１０が携帯端末４００から利用者識別情報を読み出すものであっても良い。
【００４８】
以下に、図１に示した通信システムにおけるポイント付与方法について説明する。まずは、図１に示した通信システムにおけるポイント付与方法のうち、ポイントが発生する際の処理について説明する。
【００４９】
図６は、図１に示した通信システムにおけるポイント付与方法のうち、ポイントが発生する際の処理を説明するためのシーケンス図である。
【００５０】
まず、利用者が商品やサービスを購入した後、精算時に、利用者識別情報がレジ３００のリーダー３１０によって、携帯端末４００またはＩＣカード５００またはポイントカード６００から読み取られ（ステップＳ１）、購入した商品やサービス、またはその金額に応じたポイント数がレジ３００に入力されると（ステップＳ２）、利用者識別情報とポイント数とがレジ３００からサーバ１００へ送信される（ステップＳ３）。
【００５１】
なお、ステップＳ１の処理とステップＳ２の処理とは、どちらが先に行われても構わない。
【００５２】
レジ３００から送信された利用者識別情報とポイント数とがサーバ１００の通信部１１０にて受信されると、ポイント操作部１３０によって、データベース１４０の中から当該利用者識別情報が検索される（ステップＳ４）。
【００５３】
利用者識別情報がデータベース１４０の中から検索されると、検索された利用者識別情報と対応付けて記憶されているポイント数に、レジ３００から送信されてきたポイント数が加算される（ステップＳ５）。このとき、あらかじめ設定された割合や、ポイント数に基づいて、当該ポイント数が自分用ポイントと他人用ポイントとに分けられて記憶される。
【００５４】
なお、ポイント数発生は、商品やサービスの購入ではなく、店舗への来店で発生するものであっても良い。例えば、ある店舗へ来店しただけで、１ポイントが付与されるものであっても良い。ここで、本システムが利用者の来店を認識するには、例えば、店舗にレジ３００とは別個に設置されているリーダーに携帯端末４００や、ＩＣカード５００、ポイントカード６００をかざすことで、当該リーダーがそれらから利用者識別情報を読み出して、サーバ１００へ送信するものであっても良い。または、携帯端末４００にＧＰＳ（Ｇｌｏｂａｌ  Ｐｏｓｉｔｉｏｎｉｎｇ  Ｓｙｓｔｅｍ）機能が具備されている場合、携帯端末４００がその位置情報を取得し、取得した位置情報と利用者識別情報とをサーバ１００へ送信し、サーバ１００にて、この位置情報に基づいて携帯端末４００を所持した利用者が店舗に来店したかどうかを判断するものであっても良い。
【００５５】
また、インターネット上でアンケートに回答する等の利用者のアクションに応じて、所定のポイントが付与されるものであっても良い。このように、利用者を特定することができ、当該利用者に対してポイントが発生するものであれば良い。
【００５６】
また、インターネット上のサイトで商品やサービスを購入した場合は、レジ３００がないため、インターネット上で精算を行う当該サイトから、利用者識別情報とポイント数とがサーバ１００へ送信されるものであっても良い。このポイント送信に関しては、一般的なものであっても良く、特に規定しない。このときの利用者識別情報は、インターネットに接続している通信端末に利用者が入力したものとなる。
【００５７】
また、このようなポイントは、店舗やサイトごとに分類されて（例えば、店舗を識別するための店舗識別情報と対応付けられて）、データベース１４０に記憶されていても良いことは言うまでもない。
【００５８】
次に、図１に示した通信システムにおけるポイント付与方法のうち、付与されたポイントを移動させる処理について説明する。
【００５９】
図７は、図１に示した通信システムにおけるポイント付与方法のうち、付与されたポイントを移動させる処理を説明するためのシーケンス図である。
【００６０】
まず、通信端末２００の入力部２３０にパスワードが入力されると（ステップＳ１１）、入力部２３０に入力された、または記憶部２４０に記憶されている利用者識別情報（第１の利用者識別情報）と、入力されたパスワードとが通信部２１０からサーバ１００へ送信される（ステップＳ１２）。
【００６１】
通信端末２００から送信された利用者識別情報とパスワードとが、サーバ１００の通信部１１０にて受信されると、それらと、データベース１４０に記憶されている情報とに基づいて、認証部１２０にて利用者の認証が行われる（ステップＳ１３）。この認証方法は、一般的なもので良い。
【００６２】
利用者の認証に成功すると、利用者識別情報と、当該利用者識別情報と対応付けられてデータベース１４０に記憶されている他人用ポイント数とを用いて、入力画面情報が生成され、生成された入力画面情報が通信部１１０から通信端末２００へ送信される（ステップＳ１４）。
【００６３】
サーバ１００から送信された入力画面情報が通信端末２００の通信部２１０にて受信されると、受信された入力画面情報に基づいた入力画面が表示部２２０に表示される（ステップＳ１５）。
【００６４】
図８は、ステップＳ１５にて表示部２２０に表示された入力画面の一例を示す図である。なお、データベース１４０には、図３に示した対応付けが記憶されている場合を例に挙げる。
【００６５】
ステップＳ１５にて表示部２２０には図８に示すような、入力画面が表示される。この入力画面は図８に示すように、第１の利用者識別情報「Ａ０００１」と、「Ａ０００１」と対応付けられている他人用ポイントである友達用ポイント数「１００」ポイントと、ポイントの移動先の友達の利用者識別情報（第２の利用者識別情報）を入力するための入力欄と、移動（送付）するポイント数を入力するための入力欄とが表示される。
【００６６】
友達の利用者識別情報の入力欄に、第２の利用者識別情報が入力され、移動（送付）するポイント数の入力欄にポイント数が入力され、「友達にポイントを送付する」ボタンが選択されると（ステップＳ１６）、第１の利用者識別情報と、入力された第２の利用者識別情報と、入力されたポイント数とが通信部２１０からサーバ１００へ送信される（ステップＳ１７）。例えば、第２の利用者識別情報の入力欄に「Ｂ０００１」が入力され、移動するポイント数に「３０」ポイントが入力された場合、第１の利用者識別情報「Ａ０００１」と第２の利用者識別情報「Ｂ０００１」とポイント数「３０」とが通信部２１０からサーバ１００へ送信される。
【００６７】
ここで、移動するポイント数として、表示部２２０に表示されている友達用ポイント数よりも大きな数値が入力された場合、その入力は受け付けられない旨の表示や、再入力を促すメッセージの表示が、表示部２２０にされても良い。
【００６８】
また、友達の利用者識別情報の入力欄への入力の際、別途ＳＮＳ（Ｓｏｃｉａｌ  Ｎｅｔｗｏｒｋｉｎｇ  Ｓｅｒｖｉｃｅ）に登録されている友達の情報を読み出したり、記憶部２４０またはサーバ１００のデータベース１４０に記憶されている友達の一覧から選択したり、氏名やニックネーム等をキーワードとして記憶部２４０またはサーバ１００のデータベース１４０から検索したりするものであっても良い。
【００６９】
通信端末２００から送信された第１の利用者識別情報と第２の利用者識別情報とポイント数とがサーバ１００の通信部１１０にて受信されると、受信された第１の利用者識別情報「Ａ０００１」がポイント操作部１３０によってデータベース１４０から検索され（ステップＳ１８）、検索された利用者識別情報「Ａ０００１」と対応付けられている友達用ポイント数「１００」が取得される。そして、ポイント操作部１３０によって、このポイント数「１００」から、通信端末２００から送信されてきたポイント数「３０」が差し引かれる。また、受信された第２の利用者識別情報「Ｂ０００１」がポイント操作部１３０によってデータベース１４０から検索され、検索された利用者識別情報「Ｂ０００１」と対応付けられている自分用ポイント数「５０」が取得される。そして、ポイント操作部１３０によって、このポイント数「５０」に、通信端末２００から送信されてきたポイント数「３０」が加算される。このように、「３０」ポイントが、「Ａ０００１」の友達用ポイントから「Ｂ０００１」の自分用ポイントへ移動する（ステップＳ１９）。この移動の結果、データベース１４０に記憶されている対応付けは、図４に示すような対応付けに更新される。
【００７０】
その後、このポイント移動の結果をサーバ１００から通信端末２００へ送信するものであっても良い。つまり、当該結果を示す完了画面を表示するための完了画面情報をサーバ１００から通信端末２００へ送信するものであっても良い。この完了画面情報には、第１の利用者識別情報「Ａ０００１」と、第２の利用者識別情報「Ｂ０００１」と、移動したポイント数「３０」と、移動後の第１の利用者識別情報と対応付けられた他人用ポイント数（友達用ポイント数）「７０」とが含まれる。
【００７１】
サーバ１００から送信された完了画面情報が通信端末２００の通信部２１０にて受信されると、受信された完了画面情報に基づいた完了画面が表示部２２０に表示される。
【００７２】
図９は、図５に示した表示部２２０に表示された完了画面の一例を示す図である。
【００７３】
図９に示すように、利用者識別情報「Ｂ０００１」へ３０ポイントを移動（送付）した旨、および利用者識別情報「Ａ０００１」の友達用ポイントのポイント数が７０ポイントになった旨が表示される。また、さらにポイントを移動（送付）するか否かについて、ＹｅｓボタンとＮｏボタンとが表示されるものであっても良い。Ｙｅｓボタンが選択された場合、図８に示した入力画面が再度表示されても良い。
【００７４】
また、このとき、移動したポイントの移動先への通知が行われるものであっても良い。つまり、上述した例の場合、利用者識別情報「Ｂ０００１」の通信端末へ、３０ポイントが移動してきた通知が行われても良い。このとき併せて、この移動により合計のポイント数がいくつになったかの通知や誰から移動してきたのかの通知が行われても良い。この通知は、例えば、データベース１４０に利用者識別情報と対応付けて電子メールアドレスをあらかじめ格納しておき、その電子メールアドレス宛てに、その旨が記載された電子メールが送信されるものであっても良い。
【００７５】
また、図２に示したデータベース１４０に、友達関係を示す対応付けが記憶されているものであっても良い。
【００７６】
図１０は、図２に示したデータベース１４０に記憶されている友達関係を示す対応付けの一例を示す図である。
【００７７】
図２に示したデータベース１４０には図１０に示すように、利用者識別情報と、その友達の利用者識別情報とが対応付けられて記憶されている。この利用者識別情報は、第１の利用者識別情報となり、友達の利用者識別情報は、第２の利用者識別情報となる。
【００７８】
例えば、図１０に示すように、利用者識別情報「Ａ０００１」と、友達の利用者識別情報「Ｂ０００１」および「Ｃ０００５」とが対応付けられて記憶されている。これは、利用者識別情報が「Ａ０００１」である利用者の友達として登録されている利用者は、利用者識別情報が「Ｂ０００１」である利用者および利用者識別情報が「Ｃ０００５」である利用者であることを示している。また、利用者識別情報「Ｂ０００１」と、友達の利用者識別情報「Ａ０００１」および「Ｄ００１０」とが対応付けられて記憶されている。これは、利用者識別情報が「Ｂ０００１」である利用者の友達として登録されている利用者は、利用者識別情報が「Ａ０００１」である利用者および利用者識別情報が「Ｄ００１０」である利用者であることを示している。また、利用者識別情報「Ｃ０００５」と、友達の利用者識別情報「Ｅ１０００」とが対応付けられて記憶されている。これは、利用者識別情報が「Ｃ０００５」である利用者の友達として登録されている利用者は、利用者識別情報が「Ｅ１０００」である利用者であることを示している。
【００７９】
データベース１４０に登録されているこれらの友達関係を示す対応付けは、通信端末２００から更新可能である。
【００８０】
図１１は、図２に示したデータベース１４０に登録されている友達関係を更新するために通信端末２００の表示部２２０に表示される利用者更新画面の一例を示す図である。
【００８１】
例えば、利用者識別情報「Ａ０００１」の利用者が操作する通信端末２００の表示部２２０には図１１に示すように、利用者識別情報が「Ａ０００１」である利用者の利用者更新画面が表示される。
【００８２】
表示される利用者更新画面には、現在、友達としてデータベース１４０に登録されている利用者識別情報が表示され、それらを削除するための削除ボタンが表示される。また、友達を追加したい場合に、追加する友達の利用者識別情報を入力するための記入欄および登録ボタンが表示される。
【００８３】
また、上述した例では、第１の利用者識別情報の利用者が、当該第１の利用者識別情報の他人用ポイントの移動先となる第２の利用者識別情報を指定して、ポイントを移動させていたが、第２の利用者識別情報の利用者が自ら移動させるものであっても良い。つまり、ある所定のグループに存在する利用者（例えば、図１０に示したような友達として登録されている利用者、以下、友達利用者と称する）に対して、第１の利用者識別情報と、その他人用ポイントのポイント数とが電子メールや電子掲示板等を用いて通知され、友達利用者の中で、その他人用ポイントの一部もしくは全部が欲しい利用者が、前述の付与されたポイントを移動させる処理を行い、そのポイントの移動を要求し、当該ポイントを、第１の利用者識別情報の他人用ポイントから友達利用者の利用者識別情報である第２の利用者識別情報の自分用ポイントへ移動させるものであっても良い。
【００８４】
また、商品やサービスの購入により第１の利用者識別情報の他人用ポイントにポイントが加算される時点で、その他人用ポイントを、所定の割合やポイント数に基づいて、第２の利用者識別情報の自分用ポイントへ移動させるものであっても良い。例えば、図１０に示すような友達関係がデータベース１４０に登録されており、利用者識別情報「Ａ０００１」と対応付けられている「Ｂ０００１」への移動割合を６割とし、「Ｃ０００５」への移動割合を４割としてあらかじめ登録されているとする。この場合、「Ａ０００１」の利用者が商品またはサービスを購入することで、利用者識別情報「Ａ０００１」とポイント数とが通信部１１０にて受信され、ポイント操作部１３０が、「Ａ０００１」の他人用ポイントに１００ポイントを付与すると、データベース１４０の「Ａ０００１」の友達関係とその各付与割合とを検索し、その１００ポイントのうち６割である６０ポイントを「Ｂ０００１」の自分用ポイントへ移動させ、４割である４０ポイントを「Ｃ０００５」の自分用ポイントへ移動させるものであっても良い。
【００８５】
このように本発明においては、利用者が取得したポイントを使って、友達等の他人の役に立つことができ、さらに、店舗においては、ポイントを使用するために利用者の友達の来店を促進することができ、顧客を増やすことができる。
【００８６】
上述したサーバ１００に設けられた各構成要素が行う処理は、目的に応じてそれぞれ作製された論理回路で行うようにしても良い。また、処理内容を手順として記述したコンピュータプログラム（以下、プログラムと称する）をサーバ１００にて読取可能な記録媒体に記録し、この記録媒体に記録されたプログラムをサーバ１００に読み込ませ、実行するものであっても良い。サーバ１００にて読取可能な記録媒体とは、フロッピー（登録商標）ディスク、光磁気ディスク、ＤＶＤ、ＣＤなどの移設可能な記録媒体の他、サーバ１００に内蔵されたＲＯＭ、ＲＡＭ等のメモリやＨＤＤ等を指す。この記録媒体に記録されたプログラムは、サーバ１００に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００８７】
１００    サーバ
１１０，２１０    通信部
１２０    認証部
１３０    ポイント操作部
１４０    データベース
２００    通信端末
２２０    表示部
２３０    入力部
２４０    記憶部
２５０    制御部
３００    レジ
３１０    リーダー
４００    携帯端末
５００    ＩＣカード
６００    ポイントカード
７００    ネットワーク
【図１】
0005451690.tif 000002
【図２】
0005451690.tif 000003
【図３】
0005451690.tif 000004
【図４】
0005451690.tif 000005
【図５】
0005451690.tif 000006
【図６】
0005451690.tif 000007
【図７】
0005451690.tif 000008
【図８】
0005451690.tif 000009
【図９】
0005451690.tif 000010
【図１０】
0005451690.tif 000011
【図１１】
0005451690.tif 000012